(57)【要約】  本発明の画像表示装置（１０）は、表示パネル（２０）、バリアパネル（３０）、投光部（４０）、及びコントローラ（５０）を備える。表示パネル（２０）は、第１表示領域を形成するように構成され、右眼画像を第１表示領域の右眼視認領域に表示するように構成され、且つ、左眼画像を第１表示領域の左眼視認領域に表示するように構成される。バリアパネル（３０）は、第１バリア領域を形成するように構成され、右眼視認領域及び左眼視認領域が第１表示領域の異なる位置となるように第１バリア領域に透光部及び減光部を形成するように構成される。投光部（４０）は、第１発光領域を形成するように構成される。コントローラ（５０）は、第１表示領域に位置する部分を２枚のサブフレームを含む１枚の視差画像フレームとして表示するように構成されるとともに、視差画像フレームから新たな視差画像フレームに表示を変更するタイミングを含むフレーム変更期間に、第１発光領域から出射する射出光の光量を減少させるように構成される。
2020090584.tif 000002
【特許請求の範囲】
【請求項１】
複数の発光素子を含む投光部と、  前記投光部から光を受けるように位置し、複数のフレームを表示するように構成される表示パネルと、  前記表示パネルに重なり、複数の透光部と複数の減光部とを形成するように構成されるバリアパネルと、  前記投光部、前記表示パネル、及び前記バリアパネルを制御するように構成されるコントローラとを備え、  前記表示パネルから出る画像光の少なくとも一部の進行方向は、前記複数の透光部及び前記複数の減光部によって利用者の右眼と左眼とに分けられ、  前記表示パネルは、    第１表示領域を形成するように構成され、    利用者の右眼で視認される右眼画像を前記第１表示領域の右眼視認領域に表示するように構成され、且つ、前記利用者の左眼で視認される左眼画像を前記第１表示領域の左眼視認領域に表示するように構成され、  前記バリアパネルは、    前記第１表示領域に対応する第１バリア領域を形成するように構成され、    前記右眼視認領域及び前記左眼視認領域が前記第１表示領域の異なる位置となるように、前記第１バリア領域に前記透光部及び前記減光部を形成するように構成され、  前記投光部は、前記第１表示領域に対応する第１発光領域を形成するように構成され、  前記コントローラは、    連続する２枚のフレームを表示する場合、前記第１表示領域に位置する部分を、第１サブフレーム及び第２サブフレームを含む１枚の視差画像フレームとして表示するように構成され、    利用者が前記１枚の視差画像フレームに含まれる前記第１サブフレーム及び前記第２サブフレームそれぞれで表示される画像を合わせて１枚の視差画像として視認するように、前記第１表示領域における視差画像の表示、並びに、前記第１バリア領域における前記透光部及び前記減光部の形成を、前記視差画像フレーム毎に制御するように構成され、    前記視差画像フレームから新たな視差画像フレームに表示を変更するタイミングを含むフレーム変更期間に、前記第１発光領域から出射する射出光の光量を減少させるように構成される、画像表示装置。
【請求項２】
前記コントローラは、    前記第１表示領域に、前記第１サブフレームに続いて前記第２サブフレームを表示させる場合、前記第１サブフレームにおける前記右眼視認領域及び前記左眼視認領域それぞれの位置に基づいて、前記第２サブフレームにおける前記右眼視認領域及び前記左眼視認領域それぞれの位置を決定するように構成され、    前記第１表示領域に、前記第２サブフレームに続いて前記第１サブフレームを表示させる場合、直前に表示させていた前記第２サブフレームにおける前記右眼視認領域及び前記左眼視認領域それぞれの位置に基づかず、利用者の眼の位置に基づいて、前記前記第２サブフレームにおける前記右眼視認領域及び前記左眼視認領域それぞれの位置を決定するように構成される、請求項１に記載の画像表示装置。
【請求項３】
前記表示パネルは、利用者の両眼に視認させる平面画像を表示する第２表示領域を更に形成するように構成され、  前記投光部は、前記第２表示領域に対応する第２発光領域を更に形成するように構成され、  前記バリアパネルは、    前記第２表示領域に対応する第２バリア領域を更に形成するように構成され、    前記第２表示領域に表示されている前記平面画像に合わせて、前記第２バリア領域に前記透光部及び前記減光部を形成するように構成され、  前記コントローラは、    前記連続する２枚のフレームを表示する場合、前記第２表示領域に位置する部分を、２枚の平面画像フレームとして表示するように構成され、    前記第２表示領域における平面画像の表示、並びに、前記第２バリア領域における前記透光部及び前記減光部の形成を、前記平面画像フレーム毎に制御するように構成され、  前記視差画像フレームに含まれるサブフレームのフレームレート、及び、前記平面画像フレームのフレームレートは、同一となるように構成され、  前記コントローラは、前記第１表示領域において前記第１サブフレームから前記第２サブフレームに表示を変更するタイミングを含むサブフレーム変更期間に、前記第１発光領域の光量を減少させないものの、前記第２発光領域の光量を減少させるように構成される、請求項１又は２に記載の画像表示装置。
【請求項４】
前記コントローラは、前記第１発光領域から出射する射出光の光量と、前記第２発光領域から出射する射出光の光量とを異ならせるように構成される、請求項３に記載の画像表示装置。
【請求項５】
前記コントローラは、前記第１発光領域から出射する射出光の光量を、前記第２発光領域から出射する射出光の光量よりも多くするように構成される、請求項４に記載の画像表示装置。
【請求項６】
前記コントローラは、前記第１発光領域から出射する射出光の光量を、前記第２発光領域から出射する射出光の光量の２倍の光量に近づけるように構成される、請求項５に記載の画像表示装置。
【請求項７】
前記コントローラは、前記第２発光領域から出射する射出光の光量を、前記第１発光領域から出射する射出光の光量よりも多くするように構成される、請求項４に記載の画像表示装置。
【請求項８】
前記表示パネルは、前記第２表示領域の少なくとも一部に、黒表示領域を形成するように構成され、  前記コントローラは、前記第２発光領域のうち前記黒表示領域に対応する領域から出射する射出光の光量を減少させるように構成される、請求項３乃至７のいずれか一項に記載の画像表示装置。
【請求項９】
前記表示パネルは、前記第２表示領域の少なくとも一部に、黒表示領域を形成するように構成され、  前記コントローラは、前記バリアパネルに、前記第２バリア領域のうち前記黒表示領域に対応する領域に前記減光部を形成させるように構成される、請求項３乃至８のいずれか一項に記載の画像表示装置。
【請求項１０】
前記コントローラは、前記平面画像フレーム毎に、利用者の眼の位置に基づいて、前記第２バリア領域における前記透光部及び前記減光部の形成を制御するように構成される、請求項９に記載の画像表示装置。
【請求項１１】
前記右眼画像は、前記第１サブフレームで表示される第１サブ右眼画像と、前記第２サブフレームで表示される第２サブ右眼画像とを含み、  前記左眼画像は、前記第１サブフレームで表示され、前記第１サブ右眼画像と重ならない第１サブ左眼画像と、前記第２サブフレームで表示され、前記第２サブ右眼画像と重ならない第２サブ左眼画像とを含み、  前記コントローラは、    前記第１サブフレームから前記第２サブフレームに表示を変更するタイミングにおいて、前記第１サブ右眼画像を表示していた領域に前記第２サブ左眼画像を表示するように構成され、    前記第１サブ左眼画像を表示していた領域に前記第２サブ右眼画像を表示するように構成される、請求項１乃至１０のいずれか一項に記載の画像表示装置。
【請求項１２】
前記表示パネルは、第３表示領域を形成するように構成され、  前記投光部は、前記第３表示領域に対応する第３発光領域を形成するように構成され、  前記コントローラは、前記第３発光領域から出射する射出光の光量を減少させるとともに、前記第３表示領域における透過率を高めるように構成される、請求項１乃至１１のいずれか一項に記載の画像表示装置。
【請求項１３】
前記コントローラは、前記表示パネルを制御する第１コントローラと、前記バリアパネルを制御する第２コントローラと、前記投光部を制御する第３コントローラとを含み、  前記第１コントローラと、前記第２コントローラ及び前記第３コントローラの少なくとも一方とは、同期するように構成される、請求項１乃至１２のいずれか一項に記載の画像表示装置。
【請求項１４】
複数の発光素子を含む投光部と、  前記投光部から光を受けるように位置し、複数のフレームを表示するように構成される表示パネルと、  前記表示パネルに重なり、複数の透光部と複数の減光部とを形成するように構成されるバリアパネルと、  前記投光部、前記表示パネル、及び前記バリアパネルを制御するように構成されるコントローラとを備える画像表示装置と、  反射部材とを含み、  前記表示パネルから出る画像光の少なくとも一部の進行方向は、前記複数の透光部及び前記複数の減光部によって利用者の右眼と左眼とに分けられ、  前記表示パネルは、    第１表示領域を形成するように構成され、    利用者の右眼で視認される右眼画像を前記第１表示領域の右眼視認領域に表示するように構成され、且つ、前記利用者の左眼で視認される左眼画像を前記第１表示領域の左眼視認領域に表示するように構成され、  前記バリアパネルは、    前記第１表示領域に対応する第１バリア領域を形成するように構成され、    前記右眼視認領域及び前記左眼視認領域が前記第１表示領域の異なる位置となるように、前記第１バリア領域に前記透光部及び前記減光部を形成するように構成され、  前記投光部は、前記第１表示領域に対応する第１発光領域を形成するように構成され、  前記コントローラは、    連続する２枚のフレームを表示する場合、前記第１表示領域に位置する部分を、第１サブフレーム及び第２サブフレームを含む１枚の視差画像フレームとして表示するように構成され、    利用者が前記１枚の視差画像フレームに含まれる前記第１サブフレーム及び前記第２サブフレームそれぞれで表示される画像を合わせて１枚の視差画像として視認するように、前記第１表示領域における視差画像の表示、並びに、前記第１バリア領域における前記透光部及び前記減光部の形成を、前記視差画像フレーム毎に制御するように構成され、    前記視差画像フレームから新たな視差画像フレームに表示を変更するタイミングを含むフレーム変更期間に、前記第１発光領域から出射する射出光の光量を減少させるように構成され、  前記反射部材は、前記画像光を反射し、前記利用者の左眼及び右眼に到達させる画像表示システム。
【請求項１５】
複数の発光素子を含む投光部と、  前記投光部から光を受けるように位置し、複数のフレームを表示するように構成される表示パネルと、  前記表示パネルに重なり、複数の透光部と複数の減光部とを形成するように構成されるバリアパネルと、  前記投光部、前記表示パネル、及び前記バリアパネルを制御するように構成されるコントローラとを備える画像表示装置と、  反射部材とを含み、  前記表示パネルから出る画像光の少なくとも一部の進行方向は、前記複数の透光部及び前記複数の減光部によって利用者の右眼と左眼とに分けられ、  前記表示パネルは、    第１表示領域を形成するように構成され、    利用者の右眼で視認される右眼画像を前記第１表示領域の右眼視認領域に表示するように構成され、且つ、前記利用者の左眼で視認される左眼画像を前記第１表示領域の左眼視認領域に表示するように構成され、  前記バリアパネルは、    前記第１表示領域に対応する第１バリア領域を形成するように構成され、    前記右眼視認領域及び前記左眼視認領域が前記第１表示領域の異なる位置となるように、前記第１バリア領域に前記透光部及び前記減光部を形成するように構成され、  前記投光部は、前記第１表示領域に対応する第１発光領域を形成するように構成され、  前記コントローラは、    連続する２枚のフレームを表示する場合、前記第１表示領域に位置する部分を、第１サブフレーム及び第２サブフレームを含む１枚の視差画像フレームとして表示するように構成され、    利用者が前記１枚の視差画像フレームに含まれる前記第１サブフレーム及び前記第２サブフレームそれぞれで表示される画像を合わせて１枚の視差画像として視認するように、前記第１表示領域における視差画像の表示、並びに、前記第１バリア領域における前記透光部及び前記減光部の形成を、前記視差画像フレーム毎に制御するように構成され、    前記視差画像フレームから新たな視差画像フレームに表示を変更するタイミングを含むフレーム変更期間に、前記第１発光領域から出射する射出光の光量を減少させるように構成され、  前記反射部材は、前記画像光を反射し、前記利用者の左眼及び右眼に到達させる画像表示システムを搭載している移動体。
【発明の詳細な説明】
【関連出願へのクロスリファレンス】
【０００１】  本出願は、日本国特許出願２０１８−２０５９７２号（２０１８年１０月３１日出願）の優先権を主張するものであり、当該出願の開示全体を、ここに参照のために取り込む。
【技術分野】
【０００２】  本開示は、画像表示装置、画像表示システム、及び移動体に関する。
【背景技術】
【０００３】  従来、アクティブバリアによって利用者の両眼に対して視差画像を投影し、立体視を提供する画像表示装置が知られている。利用者の左眼及び右眼に投影される視差画像の有効画素数は、表示パネルの有効画素数の半分以下である。そこで、１セットで表示される偶数フレームと奇数フレームとで、利用者の左右の眼にそれぞれ投影される画像が交換されるようにアクティブバリアを駆動することによって、視差画像の有効画素数を増やす構成が知られている。この技術は、例えば、以下の論文に記載されている。Ayuki Hayashishita, Hideki Kakeya, "Time-Division Multiplexing Parallax Barrier with Sub-Subpixel Phase Shift", SID 2018 DIGEST, P-88, 1515-1518
【発明の概要】
【０００４】  本開示の一実施形態に係る画像表示装置は、投光部、表示パネル、バリアパネル、及びコントローラを備える。前記投光部は、複数の発光素子を含む。前記表示パネルは、前記投光部から光を受けるように位置し、複数のフレームを表示するように構成される。前記バリアパネルは、前記表示パネルに重なり、複数の透光部と複数の減光部とを形成するように構成される。前記表示パネルから出る画像光の少なくとも一部の進行方向は、前記複数の透光部及び前記複数の減光部によって利用者の右眼と左眼とに分けられる。前記コントローラは、前記投光部、前記表示パネル、及び前記バリアパネルを制御するように構成される。前記表示パネルは、第１表示領域及び第２表示領域を形成するように構成される。前記表示パネルは、利用者の右眼で視認される右眼画像を前記第１表示領域の右眼視認領域に表示するように構成される。前記表示パネルは、前記利用者の左眼で視認される左眼画像を前記第１表示領域の左眼視認領域に表示するように構成される。前記バリアパネルは、前記第１表示領域に対応する第１バリア領域を形成するように構成される。前記バリアパネルは、前記右眼視認領域及び前記左眼視認領域が前記第１表示領域の異なる位置となるように、前記第１バリア領域に前記透光部及び前記減光部を形成するように構成される。前記投光部は、前記第１表示領域に対応する第１発光領域を形成するように構成される。前記コントローラは、連続する２枚のフレームを表示する場合、前記第１表示領域に位置する部分を、第１サブフレーム及び第２サブフレームを含む１枚の視差画像フレームとして表示するように構成される。前記コントローラは、利用者が前記１枚の視差画像フレームに含まれる前記第１サブフレーム及び前記第２サブフレームそれぞれで表示される画像を合わせて１枚の視差画像として視認するように、前記表示パネル及び前記バリアパネルを制御するように構成される。前記コントローラは、前記第１表示領域における視差画像の表示、並びに、前記第１バリア領域における前記透光部及び前記減光部の形成を、前記視差画像フレーム毎に制御するように構成される。前記コントローラは、前記視差画像フレームから新たな視差画像フレームに表示を変更するタイミングを含むフレーム変更期間に、前記第１発光領域から出射する射出光の光量を減少させるように構成される。
【０００５】  本開示の一実施形態に係る画像表示システムは、画像表示装置と反射部材とを備える。前記画像表示装置は、投光部、表示パネル、バリアパネル、及びコントローラを備える。前記投光部は、複数の発光素子を含む。前記表示パネルは、前記投光部から光を受けるように位置し、複数のフレームを表示するように構成される。前記バリアパネルは、前記表示パネルに重なり、複数の透光部と複数の減光部とを形成するように構成される。前記表示パネルから出る画像光の少なくとも一部の進行方向は、前記複数の透光部及び前記複数の減光部によって利用者の右眼と左眼とに分けられる。前記コントローラは、前記投光部、前記表示パネル、及び前記バリアパネルを制御するように構成される。前記表示パネルは、第１表示領域及び第２表示領域を形成するように構成される。前記表示パネルは、利用者の右眼で視認される右眼画像を前記第１表示領域の右眼視認領域に表示するように構成される。前記表示パネルは、前記利用者の左眼で視認される左眼画像を前記第１表示領域の左眼視認領域に表示するように構成される。前記バリアパネルは、前記第１表示領域に対応する第１バリア領域を形成するように構成される。前記バリアパネルは、前記右眼視認領域及び前記左眼視認領域が前記第１表示領域の異なる位置となるように、前記第１バリア領域に前記透光部及び前記減光部を形成するように構成される。前記投光部は、前記第１表示領域に対応する第１発光領域を形成するように構成される。前記コントローラは、連続する２枚のフレームを表示する場合、前記第１表示領域に位置する部分を、第１サブフレーム及び第２サブフレームを含む１枚の視差画像フレームとして表示するように構成される。前記コントローラは、利用者が前記１枚の視差画像フレームに含まれる前記第１サブフレーム及び前記第２サブフレームそれぞれで表示される画像を合わせて１枚の視差画像として視認するように、前記表示パネル及び前記バリアパネルを制御するように構成される。前記コントローラは、前記第１表示領域における視差画像の表示、並びに、前記第１バリア領域における前記透光部及び前記減光部の形成を、前記視差画像フレーム毎に制御するように構成される。前記コントローラは、前記視差画像フレームから新たな視差画像フレームに表示を変更するタイミングを含むフレーム変更期間に、前記第１発光領域から出射する射出光の光量を減少させるように構成される。前記反射部材は、前記画像光を反射し、前記利用者の左眼及び右眼に到達させる。
【０００６】  本開示の一実施形態に係る移動体は、画像表示システムを搭載している。前記画像表示システムは、画像表示装置と反射部材とを備える。前記画像表示装置は、投光部、表示パネル、バリアパネル、及びコントローラを備える。前記投光部は、複数の発光素子を含む。前記表示パネルは、前記投光部から光を受けるように位置し、複数のフレームを表示するように構成される。前記バリアパネルは、前記表示パネルに重なり、複数の透光部と複数の減光部とを形成するように構成される。前記表示パネルから出る画像光の少なくとも一部の進行方向は、前記複数の透光部及び前記複数の減光部によって利用者の右眼と左眼とに分けられる。前記コントローラは、前記投光部、前記表示パネル、及び前記バリアパネルを制御するように構成される。前記表示パネルは、第１表示領域及び第２表示領域を形成するように構成される。前記表示パネルは、利用者の右眼で視認される右眼画像を前記第１表示領域の右眼視認領域に表示するように構成される。前記表示パネルは、前記利用者の左眼で視認される左眼画像を前記第１表示領域の左眼視認領域に表示するように構成される。前記バリアパネルは、前記第１表示領域に対応する第１バリア領域を形成するように構成される。前記バリアパネルは、前記右眼視認領域及び前記左眼視認領域が前記第１表示領域の異なる位置となるように、前記透光部及び前記減光部を形成するように構成される。前記投光部は、前記第１表示領域に対応する第１発光領域を形成するように構成される。前記コントローラは、連続する２枚のフレームを表示する場合、前記第１表示領域に位置する部分を、第１サブフレーム及び第２サブフレームを含む１枚の視差画像フレームとして表示するように構成される。前記コントローラは、利用者が前記１枚の視差画像フレームに含まれる前記第１サブフレーム及び前記第２サブフレームそれぞれで表示される画像を合わせて１枚の視差画像として視認するように、前記表示パネル及び前記バリアパネルを制御するように構成される。前記コントローラは、前記第１表示領域における視差画像の表示、並びに、前記第１バリア領域における前記透光部及び前記減光部の形成を、前記視差画像フレーム毎に制御するように構成される。前記コントローラは、前記視差画像フレームから新たな視差画像フレームに表示を変更するタイミングを含むフレーム変更期間に、前記第１発光領域から出射する射出光の光量を減少させるように構成される。前記反射部材は、前記画像光を反射し、前記利用者の左眼及び右眼に到達させる。
【図面の簡単な説明】
【０００７】
【図１】一実施形態に係る画像表示装置の構成例を示す側面図である。
【図２】一実施形態に係る画像表示装置の構成例を示すブロック図である。
【図３】表示パネルの構成例を示す平面図である。
【図４】バリアパネルの構成例を示す平面図である。
【図５】投光部の構成例を示す平面図である。
【図６】図５のＡ−Ａ断面図である。
【図７】利用者から見た画像表示装置の見え方の一例を示す図である。
【図８】左眼画像に含まれるサブ左眼画像の一例を示す図である。
【図９】右眼画像に含まれるサブ右眼画像の一例を示す図である。
【図１０】第１サブフレームにおける表示パネルの表示例を示す図である。
【図１１】第２サブフレームにおける表示パネルの表示例を示す図である。
【図１２】第１発光領域の制御のタイミングを表すタイミングチャートである。
【図１３】第２発光領域の制御のタイミングを表すタイミングチャートである。
【図１４】一実施形態に係る画像表示システムの構成例を示す図である。
【発明を実施するための形態】
【０００８】  図１及び図２に示されるように、一実施形態に係る画像表示装置１０は、表示パネル２０と、バリアパネル３０と、投光部４０と、コントローラ５０とを備える。
【０００９】  投光部４０は、表示パネル２０とバリアパネル３０とを介して、利用者の右眼５Ｒ及び左眼５Ｌに向けて光を射出するように構成される。投光部４０は、利用者から見て、表示パネル２０及びバリアパネル３０よりも遠い側に位置する。バリアパネル３０は、利用者から見て、表示パネル２０よりも近い側に位置してよいし、遠い側に位置してもよい。つまり、投光部４０から射出される光は、先に表示パネル２０に入射してもよいし、先にバリアパネル３０に入射してもよい。
【００１０】  表示パネル２０は、複数の画素を有する。表示パネル２０は、各画素において投光部４０から入射する光の透過率を制御し、利用者の眼に到達する画像光として射出するように構成される。利用者は、表示パネル２０の各画素から出る画像光によって構成される画像を視認する。
【００１１】  バリアパネル３０は、入射してくる光の進行方向を限定するように構成される。投光部４０から射出される光が先に表示パネル２０に入射する場合、バリアパネル３０は、表示パネル２０から出る画像光の一部を減じ、他の一部を利用者の右眼５Ｒ及び左眼５Ｌに向けて透過するように構成される。投光部４０から射出される光が先にバリアパネル３０に入射する場合、バリアパネル３０は、投光部４０から射出される光の一部を減じ、他の一部を表示パネル２０に向けて透過するように構成される。表示パネル２０は、バリアパネル３０によって限定された方向に進行する入射光を、画像光としてそのまま進行するように射出するように構成される。
【００１２】  表示パネル２０とバリアパネル３０とのどちらが利用者の近くに位置するかにかかわらず、バリアパネル３０は、画像光の進行方向を制御可能に構成される。バリアパネル３０は、表示パネル２０から出る画像光の一部を利用者の左眼５Ｌ及び右眼５Ｒのうち一方の眼に到達させ、画像光の他の一部を利用者の他方の眼に到達させるように構成される。つまり、バリアパネル３０は、画像光の少なくとも一部の進行方向を利用者の左眼５Ｌと右眼５Ｒとに分けるように構成される。
【００１３】  バリアパネル３０によって限定された方向に進む画像光は、利用者の左眼５Ｌ及び右眼５Ｒそれぞれに異なる画像光として到達しうる。その結果、利用者は、左眼５Ｌ及び右眼５Ｒそれぞれで異なる画像を視認しうる。つまり、画像表示装置１０は、利用者の両眼に対して視差画像を投影可能に構成される。視差画像は、利用者の左眼５Ｌ及び右眼５Ｒそれぞれに投影される画像であって、利用者の両眼に視差を与える画像であるとする。利用者は、左眼５Ｌと右眼５Ｒとで視差画像を見ることによって、画像を立体視できる。利用者の両眼に視差を与える方向は、視差方向とも称される。視差方向は、利用者の左眼５Ｌ及び右眼５Ｒが並ぶ方向に対応する。
【００１４】  コントローラ５０は、画像表示装置１０の各構成部に接続され、各構成部を制御するように構成される。コントローラ５０は、第１コントローラ５１と第２コントローラ５２と第３コントローラ５３とを含んでよい。第１コントローラ５１は、表示パネル２０を制御するように構成されてよい。第２コントローラ５２は、バリアパネル３０を制御するように構成されてよい。第３コントローラ５３は、投光部４０を制御するように構成されてよい。第１コントローラ５１と第２コントローラ５２と第３コントローラ５３とは、互いに同期するように構成されてよい。第１コントローラ５１と、第２コントローラ５２及び第３コントローラ５３の少なくとも一方とは、同期するように構成されてよい。第１コントローラ５１、第２コントローラ５２及び第３コントローラ５３のうち１つがマスタとなるとともに、他の２つがスレーブとなるように構成されてもよい。コントローラ５０は、第１コントローラ５１、第２コントローラ５２及び第３コントローラ５３の上位に位置づけられるように構成されてもよい。コントローラ５０は、第１コントローラ５１、第２コントローラ５２及び第３コントローラ５３を制御するように構成される上位コントローラをさらに含んでもよい。
【００１５】  コントローラ５０は、例えばプロセッサとして構成される。コントローラ５０は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（ＡＳＩＣ：Application Specific Integrated Circuit）を含んでよい。プロセッサは、プログラマブルロジックデバイス（ＰＬＤ：Programmable Logic Device）を含んでよい。ＰＬＤは、ＦＰＧＡ（Field-Programmable Gate Array）を含んでよい。コントローラ５０は、１つ又は複数のプロセッサが協働するＳｏＣ（System-on-a-Chip）、及びＳｉＰ（System In a Package）のいずれかであってよい。コントローラ５０は、記憶部を備え、記憶部に各種情報、又は画像表示装置１０の各構成部を動作させるためのプログラム等を格納してよい。記憶部は、例えば半導体メモリ等で構成されてよい。記憶部は、コントローラ５０のワークメモリとして機能するように構成されてよい。
【００１６】  表示パネル２０は、利用者の左眼５Ｌに視認させる左眼画像２３Ｌ（図８参照）と、利用者の右眼５Ｒに視認させる右眼画像２３Ｒ（図９参照）と、利用者の両眼に視認させる平面画像２４（図１０参照）とを表示するように構成される。表示パネル２０は、例えば、ＬＣＤ（Liquid Crystal Display）等の液晶デバイスであってよい。表示パネル２０は、有機ＥＬ（Electro-Luminescence）又は無機ＥＬ等の自発光デバイスであってもよい。表示パネル２０が自発光デバイスである場合、バリアパネル３０は、表示パネル２０よりも利用者に近い側に位置する。
【００１７】  図３に示されるように、表示パネル２０は、第１表示領域２１と、第２表示領域２２とを形成するように構成される。表示パネル２０は、第１表示領域２１に、利用者の左眼５Ｌで視認される複数の左眼視認領域２１Ｌと、利用者の右眼５Ｒで視認される複数の右眼視認領域２１Ｒとを形成するように構成される。表示パネル２０は、複数の左眼視認領域２１Ｌに左眼画像２３Ｌを表示し、複数の右眼視認領域２１Ｒに右眼画像２３Ｒを表示するように構成される。つまり、表示パネル２０は、複数の左眼視認領域２１Ｌと複数の右眼視認領域２１Ｒとに視差画像を表示するように構成される。複数の左眼視認領域２１Ｌと複数の右眼視認領域２１Ｒとは、Ｘ軸方向に並んでいる。本実施形態において、視差方向は、Ｘ軸方向に対応づけられるとする。Ｘ軸方向は、水平方向又は第１方向とも称される。Ｙ軸方向は、垂直方向又は第２方向とも称される。複数の左眼視認領域２１Ｌと複数の右眼視認領域２１Ｒとは、図３に例示されているように間隔をあけて位置していてもよいし、互いに隣接していてもよい。表示パネル２０は、第２表示領域２２に平面画像２４を表示するように構成される。
【００１８】  複数の左眼視認領域２１Ｌ及び複数の右眼視認領域２１Ｒは、図３に示されるように、Ｙ軸方向に沿って延在してよいし、Ｙ軸方向に対して所定角度で傾斜する方向に延在してもよい。言い換えれば、複数の左眼視認領域２１Ｌ及び複数の右眼視認領域２１Ｒは、視差方向に交差する方向に沿って延在してよい。複数の左眼視認領域２１Ｌ及び複数の右眼視認領域２１Ｒは、視差方向の成分を含む所定方向に沿って交互に並んでもよい。複数の左眼視認領域２１Ｌと複数の右眼視認領域２１Ｒとが交互に並ぶピッチは、視差画像ピッチとも称される。
【００１９】  バリアパネル３０は、左眼画像２３Ｌに係る画像光を利用者の左眼５Ｌに到達させ、右眼画像２３Ｒに係る画像光を利用者の右眼５Ｒに到達させるように構成される。バリアパネル３０は、アクティブバリアとして機能するように構成される。
【００２０】  図４に示されるように、バリアパネル３０は、第１バリア領域３１と、第２バリア領域３２とを形成するように構成される。バリアパネル３０が利用者から見て表示パネル２０よりも近い側に位置する場合、バリアパネル３０は、表示パネル２０から出る画像光の透過率を制御するように構成される。第１バリア領域３１は、第１表示領域２１に対応し、第１表示領域２１から出る画像光の透過率を制御するように構成される。バリアパネル３０は、第１バリア領域３１に、複数の透光部３１Ｔと、複数の減光部３１Ｓとを形成するように構成される。複数の透光部３１Ｔは、表示パネル２０からバリアパネル３０に入射する光を透過させるように構成される。複数の透光部３１Ｔは、第１透過率以上の透過率で光を透過させるように構成されてよい。第１透過率は、例えば１００％であってよいし、１００％に近い値であってよい。複数の減光部３１Ｓは、表示パネル２０からバリアパネル３０に入射する光を減じるように構成される。複数の減光部３１Ｓは、第２透過率以下の透過率で光を透過させるように構成されてよい。第２透過率は、例えば０％であってよいし、０％に近い値であってよい。第１透過率は、第２透過率よりも大きい。第１透過率は、減光部３１Ｓを透過した光と十分なコントラストが確保できる範囲であれば、５０％より小さい値、例えば、１０％などであってよい。第２透過率は、透光部３１Ｔを透過した光と十分なコントラストが確保できる範囲であれば、０％近傍より大きい値、例えば、１０％などであってよい。十分なコントラストの比は、例えば１００：１であってよい。
【００２１】  バリアパネル３０が利用者から見て表示パネル２０よりも遠い側に位置する場合、バリアパネル３０は、表示パネル２０に入射する光の透過率を制御するように構成される。複数の透光部３１Ｔは、表示パネル２０に入射する光を透過させるように構成される。複数の減光部３１Ｓは、表示パネル２０に入射する光を減じるように構成される。このようにすることで、第１バリア領域３１は、第１表示領域２１に入射する光の透過率を制御するように構成される。表示パネル２０から出る画像光の強度は、入射する光の強度に基づいて制御される。表示パネル２０から出る画像光の進行方向は、入射する光の進行方向に基づいて制御される。
【００２２】  複数の透光部３１Ｔは、左眼画像２３Ｌに係る画像光を利用者の左眼５Ｌに到達させ、右眼画像２３Ｒに係る画像光を利用者の右眼５Ｒに到達させるように構成される。複数の減光部３１Ｓは、左眼画像２３Ｌに係る画像光を利用者の右眼５Ｒに到達させない又は到達させにくくするとともに、右眼画像２３Ｒに係る画像光を利用者の左眼５Ｌに到達させない又は到達させにくくするように構成される。バリアパネル３０は、利用者が右眼５Ｒで右眼画像２３Ｒを視認する一方で、左眼５Ｌで右眼画像２３Ｒを視認しない又は視認しにくくなるように構成されうる。バリアパネル３０は、利用者が左眼５Ｌで左眼画像２３Ｌを視認する一方で、右眼５Ｒで左眼画像２３Ｌを視認しない又は視認しにくくなるように構成されうる。複数の透光部３１Ｔ及び複数の減光部３１Ｓは、左眼画像２３Ｌ及び右眼画像２３Ｒを含む視差画像に係る画像光の方向を規定するように構成される。
【００２３】  複数の透光部３１Ｔと複数の減光部３１Ｓとは、Ｘ軸方向に交互に並ぶ。複数の透光部３１Ｔと複数の減光部３１Ｓとの境界は、図４に例示されているようにＹ軸方向に沿ってよいし、Ｙ軸方向に対して所定角度で傾斜する方向に沿ってもよい。複数の透光部３１Ｔと複数の減光部３１Ｓとの境界は、視差方向に交差する方向に沿ってもよい。言い換えれば、複数の透光部３１Ｔと複数の減光部３１Ｓとは、視差方向の成分を含む所定方向に沿って交互に並んでよい。
【００２４】  複数の透光部３１Ｔ及び複数の減光部３１Ｓの形状は、複数の左眼視認領域２１Ｌ及び複数の右眼視認領域２１Ｒの形状に基づいて決定されてよい。逆に言えば、複数の左眼視認領域２１Ｌ及び複数の右眼視認領域２１Ｒの形状は、複数の透光部３１Ｔ及び複数の減光部３１Ｓの形状に基づいて決定されてよい。
【００２５】  第２バリア領域３２は、第２表示領域２２に対応し、第２表示領域２２から出る画像光の透過率を制御するように構成される。
【００２６】  バリアパネル３０は、液晶シャッターで構成されてよい。液晶シャッターは、印加する電圧に基づいて光の透過率を制御可能に構成される。液晶シャッターは、複数の画素で構成され、各画素における光の透過率を制御するように構成されてよい。液晶シャッターは、光の透過率が高い領域又は光の透過率が低い領域を任意の形状に形成するように構成されうる。バリアパネル３０が液晶シャッターで構成される場合、透光部３１Ｔは、第１透過率以上の透過率を有してよい。バリアパネル３０が液晶シャッターで構成される場合、減光部３１Ｓは、第２透過率以下の透過率を有してよい。
【００２７】  表示パネル２０及びバリアパネル３０はそれぞれ、複数の画素を有する。表示パネル２０の複数の画素の配列ピッチと、バリアパネル３０の複数の画素の配列ピッチとは、同じであってよいし、異なっていてもよい。本実施形態において、表示パネル２０の複数の画素の配列ピッチと、バリアパネル３０の複数の画素の配列ピッチとは同じであるとする。この場合、表示パネル２０の各画素とバリアパネル３０の各画素とが対応づけられる。バリアパネル３０の各画素は、複数の透光部３１Ｔ及び複数の減光部３１Ｓのいずれかに制御されるように構成されてよい。コントローラ５０は、表示パネル２０の各画素の制御と、それに対応づけられるバリアパネル３０の各画素の制御とを同期するように構成されてよい。互いに対応づけられる表示パネル２０及びバリアパネル３０の各画素の制御が同期するように構成されることによって、画質が向上しうる。
【００２８】  表示パネル２０は、第２表示領域２２に含まれる複数の画素の少なくとも一部に、黒を表示するように構成されてもよい。黒を表示している複数の画素で形成される領域は、黒表示領域とも称される。コントローラ５０は、バリアパネル３０において、第２表示領域２２に含まれる黒表示領域に対応する領域に複数の減光部３１Ｓを形成させるように構成されてよい。このようにすることで、黒表示領域における画像光の透過率がより一層低くなる。その結果、黒表示領域は、利用者から見てより一層黒く見える。
【００２９】  図５及び図６に示されるように、投光部４０は、基板４６と、基板４６の面内に並ぶ複数の発光素子４３とを有する。各発光素子４３は、矩形格子又は斜方格子等の平面格子の格子点に位置してよい。図６に示されるように、投光部４０は、各発光素子４３に対応するレンズ４４を有してよい。レンズ４４は、各発光素子４３から射出される光の進行方向を制御する。投光部４０は、拡散板４５を有してよい。拡散板４５は、複数の発光素子４３から射出される光を面内で拡散することによって、複数の発光素子４３が離散的に並んでいることで発生する、面内における輝度のばらつきを低減する。
【００３０】  図５に示されるように、投光部４０は、第１発光領域４１と、第２発光領域４２とを形成するように構成される。複数の発光素子４３の一部は、第１発光領域４１に位置してよい。複数の発光素子４３の他の一部は、第２発光領域４２に位置してよい。第１発光領域４１から射出される光は、第１表示領域２１及び第１バリア領域３１に入射するように構成される。第２発光領域４２から射出される光は、第２表示領域２２及び第２バリア領域３２に入射するように構成される。
【００３１】  投光部４０は、各発光素子４３の光量を独立に制御するように構成されてよい。投光部４０は、各発光素子４３の光量を独立に制御するように構成されることによって、面内における輝度の分布を制御可能に構成される。
【００３２】  コントローラ５０は、投光部４０において、第２表示領域２２に含まれる黒表示領域に対応する領域から出射する射出光の光量を減少させるように構成されてよい。このようにすることで、黒表示領域における画像光の光量がより一層減少する。その結果、黒表示領域は、利用者から見てより一層黒く見える。
【００３３】  表示パネル２０は、第３表示領域を更に形成するように構成されてよい。表示パネル２０は、第３表示領域を、第１表示領域２１及び第２表示領域２２に関連づけるように構成されてもよいし、関連づけないように構成されてもよい。投光部４０は、第３表示領域に対応する第３発光領域を形成するように構成されてよい。投光部４０は、第３発光領域を、第１発光領域４１及び第２発光領域４２に関連づけるように構成されてもよいし、関連づけないように構成されてもよい。
【００３４】  コントローラ５０は、第３表示領域に含まれる各画素の透過率の制御と、第３発光領域から出射する射出光の光量の制御とを関連づけるように構成されてよい。コントローラ５０は、画像の輝度が利用者から見て変化しないように、第３表示領域に含まれる各画素の透過率と、第３発光領域から出射する射出光の光量とを制御するように構成されてよい。つまり、コントローラ５０は、利用者の左眼５Ｌ及び右眼５Ｒに到達する光量が変化しないように、第３表示領域に含まれる各画素の透過率と、第３発光領域から出射する射出光の光量とを制御するように構成されてよい。
【００３５】  コントローラ５０は、第３発光領域から出射する射出光の光量を減少させるとともに、第３表示領域に含まれる各画素の透過率を高めるように構成されてよい。コントローラ５０は、例えば、第３発光領域から出射する射出光の光量を半分に減らす場合、第３表示領域に含まれる各画素の透過率を２倍にするように構成されてよい。コントローラ５０は、所定光量より少ない光量の射出光と、所定光量の射出光とが、互いに近い光量で利用者の両眼に到達するように、第３発光領域から出射する射出光の光量に基づいて、第３表示領域に含まれる各画素の透過率を制御するように構成されてよい。このようにすることで、利用者が画像の輝度の変化を認識しにくくされつつ、投光部４０における消費電力が低減されうる。コントローラ５０は、発光素子４３ごとに光量の制御と、その発光素子４３に対応する画素の透過率の制御とを関連付けるように構成されてよい。
【００３６】  図７に例示される構成において、バリアパネル３０は、利用者の左眼５Ｌ及び右眼５Ｒと、表示パネル２０との間に位置する。バリアパネル３０は、利用者から見て表示パネル２０より遠い側に位置してもよい。バリアパネル３０は、表示パネル２０に沿って位置する。バリアパネル３０は、表示パネル２０に重なって位置するともいえる。
【００３７】  利用者の左眼５Ｌ及び右眼５Ｒとバリアパネル３０との間の距離は、観察距離とも称され、Ｐとして表されている。複数の透光部３１Ｔと複数の減光部３１ＳとがＸ軸方向に交互に並ぶピッチは、バリアピッチとも称される。左眼５Ｌと右眼５Ｒとの間の距離は、眼間距離ともいい、Ｅとして表されている。バリアパネル３０と表示パネル２０との間の距離は、ギャップともいい、ｇとして表されている。
【００３８】  表示パネル２０は、第１表示領域２１に、複数の透光部３１Ｔを介して利用者の左眼５Ｌから視認可能な複数の左眼視認領域２１Ｌと、複数の減光部３１Ｓによって利用者の左眼５Ｌから視認できなくなっている又は視認しにくくなっている複数の左眼非視認領域２２Ｌとを形成するように構成される。複数の左眼視認領域２１Ｌと複数の左眼非視認領域２２Ｌとは、Ｘ軸方向に交互に並んでいる。複数の左眼視認領域２１Ｌと複数の左眼非視認領域２２Ｌとの境界の位置は、複数の透光部３１Ｔと複数の減光部３１Ｓとの間の境界の位置と、バリアパネル３０から利用者の両眼までの距離（Ｐ）と、ギャップ（ｇ）とによって定まる。
【００３９】  表示パネル２０は、第１表示領域２１に、複数の透光部３１Ｔを介して利用者の右眼５Ｒから視認可能な複数の右眼視認領域２１Ｒと、複数の減光部３１Ｓによって利用者の右眼５Ｒから視認できなくなっている又は視認しにくくなっている複数の右眼非視認領域２２Ｒとを形成するように構成される。複数の右眼視認領域２１Ｒと複数の右眼非視認領域２２Ｒとは、Ｘ軸方向に交互に並んでいる。複数の右眼視認領域２１Ｒと複数の右眼非視認領域２２Ｒとの境界の位置は、複数の透光部３１Ｔと複数の減光部３１Ｓとの間の境界の位置と、バリアパネル３０から利用者の両眼までの距離（Ｐ）と、ギャップ（ｇ）とによって定まる。
【００４０】  表示パネル２０は、左眼画像２３Ｌを表示する領域が複数の左眼視認領域２１Ｌに一致するように、視差画像を表示するように構成されてよい。表示パネル２０は、右眼画像２３Ｒを表示する領域が複数の右眼視認領域２１Ｒに一致するように、視差画像を表示するように構成されてよい。つまり、表示パネル２０は、複数の透光部３１Ｔと複数の減光部３１Ｓとの間の境界の位置と、バリアパネル３０から利用者の両眼までの距離（Ｐ）と、ギャップ（ｇ）とに基づいて、視差画像を表示するように構成されてよい。
【００４１】  複数の左眼視認領域２１Ｌと複数の右眼視認領域２１ＲとがＸ軸方向に沿って少なくとも一部で重複する場合、左眼画像２３Ｌの一部が右眼５Ｒに投影されたり、右眼画像２３Ｒの一部が左眼５Ｌに投影されたりする、クロストークが発生しうる。クロストークは、利用者に対して投影される視差画像の画質を悪化させる。
【００４２】  複数の左眼視認領域２１Ｌと複数の右眼視認領域２１Ｒとが互いに重複せずにＸ軸方向に交互に並ぶ場合、左眼５Ｌが左眼画像２３Ｌだけを視認しうるとともに、右眼５Ｒが右眼画像２３Ｒだけを視認しうる。この場合、クロストークが低減されうる。左眼５Ｌ及び右眼５Ｒがそれぞれ左眼画像２３Ｌ及び右眼画像２３Ｒだけを視認できる状態は、観察距離（Ｐ）が適視距離（ＯＶＤ：Optical Viewing Distance）である場合に実現されうる。適視距離は、眼間距離（Ｅ）とギャップ（ｇ）とバリアピッチと視差画像ピッチとに基づいて定まる。言い換えれば、コントローラ５０は、観察距離（Ｐ）がＯＶＤとなるように、表示パネル２０とバリアパネル３０とを制御するように構成されてよい。コントローラ５０は、観察距離（Ｐ）がＯＶＤとなるように、バリアパネル３０における複数の透光部３１Ｔ及び複数の減光部３１Ｓの形状及び位置と、表示パネル２０に表示させる右眼画像２３Ｒ及び左眼画像２３Ｌの形状及び位置とを制御するように構成されてよい。
【００４３】  画像表示装置１０は、利用者の眼の位置を取得するように構成されるカメラ等をさらに備えてもよい。コントローラ５０は、利用者の眼の位置に基づいて、表示パネル２０とバリアパネル３０とを制御するように構成されてよい。コントローラ５０が利用者の眼の位置に基づいて第１表示領域２１と第１バリア領域３１とを制御するように構成されることによって、クロストークがより一層低減されうる。コントローラ５０が利用者の眼の位置に基づいて第２表示領域２２と第２バリア領域３２とを制御するように構成されることによって、黒表示領域が利用者から見てより一層黒く見える。
【００４４】  表示パネル２０は、表示する画像を逐次更新するように構成される。表示パネル２０が表示画像を更新する場合、表示パネル２０が動画を表示しているとみなされうる。表示パネル２０は、複数のフレームを順次表示するように構成されることによって、動画を表示するように構成されうる。本実施形態において、表示パネル２０の表示領域全体が１枚のフレームとみなされる。表示領域全体が１枚のフレームである場合、表示パネル２０は、表示面の全面に表示する画像を順次更新するように構成されることによって、複数のフレームを順次表示するように構成される。表示パネル２０が単位時間に表示するフレームの数は、フレームレートとも称される。フレームレートは、表示パネル２０が１秒間に表示するフレームの数として表されてよい。
【００４５】  表示パネル２０は、第１表示領域２１に表示する右眼画像２３Ｒと左眼画像２３Ｌとを含む視差画像と、第２表示領域２２に表示する平面画像２４とを合わせて、１枚のフレームとして表示するように構成される。
【００４６】  視差画像は、図８に例示される左眼画像２３Ｌの少なくとも一部と、図９に例示される右眼画像２３Ｒの少なくとも一部とを含む。
【００４７】  図８に例示される左眼画像２３Ｌは、複数の第１サブ左眼画像２３１Ｌと複数の第２サブ左眼画像２３２Ｌとを含む。複数の第１サブ左眼画像２３１Ｌと複数の第２サブ左眼画像２３２Ｌとは、互いに重ならない。本実施形態において、複数の第１サブ左眼画像２３１Ｌと複数の第２サブ左眼画像２３２Ｌとは、Ｙ軸方向に延在し、左眼画像２３Ｌの中でＸ軸方向に交互に並ぶとする。複数の第１サブ左眼画像２３１ＬのＸ軸方向の画素数の合計は、１つの左眼画像２３ＬのＸ軸方向の画素数の合計に対して、１／２以下になっているとする。複数の第２サブ左眼画像２３２ＬのＸ軸方向の画素数の合計は、１つの左眼画像２３ＬのＸ軸方向の画素数の合計に対して、１／２以下になっているとする。言い換えると、フル画素の各左眼画像２３Ｌは、フル画素の半分以下の画素数の、複数の第１サブ左眼画像２３１Ｌと複数の第２サブ左眼画像２３２Ｌとに分けられる。各第１サブ左眼画像２３１Ｌの画素数は、各第２サブ左眼画像２３２Ｌの画素数と異なりうる。
【００４８】  図９に例示される右眼画像２３Ｒは、複数の第１サブ右眼画像２３１Ｒと複数の第２サブ右眼画像２３２Ｒとを含む。複数の第１サブ右眼画像２３１Ｒと複数の第２サブ右眼画像２３２Ｒとは、互いに重ならない。本実施形態において、複数の第１サブ右眼画像２３１Ｒと複数の第２サブ右眼画像２３２Ｒとは、Ｙ軸方向に延在し、右眼画像２３Ｒの中でＸ軸方向に交互に並ぶものとする。複数の第１サブ右眼画像２３１ＲのＸ軸方向の画素数の合計は、１つの右眼画像２３ＲのＸ軸方向の画素数の合計に対して、１／２以下になっているとする。複数の第２サブ右眼画像２３２ＲのＸ軸方向の画素数の合計は、１つの右眼画像２３ＲのＸ軸方向の画素数の合計に対して、１／２以下になっているとする。言い換えると、フル画素の各右眼画像２３Ｒは、フル画素の半分以下の画素数の、複数の第１サブ右眼画像２３１Ｒと複数の第２サブ右眼画像２３２Ｒとに分けられる。各第１サブ右眼画像２３１Ｒの画素数は、各第２サブ右眼画像２３２Ｒの画素数と異なりうる。
【００４９】  複数の第１サブ左眼画像２３１Ｌと複数の第１サブ右眼画像２３１Ｒとは、互いに重ならない。このようにすることで、表示パネル２０は、複数の第１サブ左眼画像２３１Ｌと複数の第１サブ右眼画像２３１Ｒとを同時に表示するように構成されうる。複数の第２サブ左眼画像２３２Ｌと複数の第２サブ右眼画像２３２Ｒとは、互いに重ならない。このようにすることで、表示パネル２０は、複数の第２サブ左眼画像２３２Ｌと複数の第２サブ右眼画像２３２Ｒとを同時に表示するように構成されうる。
【００５０】  図１０に示されるように、コントローラ５０は、表示パネル２０に、複数の第１サブ左眼画像２３１Ｌと複数の第１サブ右眼画像２３１Ｒとを１枚の視差画像として第１表示領域２１に含むフレームを表示させるように構成される。コントローラ５０は、表示パネル２０において、各第１サブ左眼画像２３１Ｌの表示領域が左眼視認領域２１Ｌを含み、且つ、各第１サブ右眼画像２３１Ｒの表示領域が右眼視認領域２１Ｒを含むように、バリアパネル３０の第１バリア領域３１を制御するように構成される。コントローラ５０は、複数の第１サブ左眼画像２３１Ｌ及び複数の第１サブ右眼画像２３１Ｒそれぞれの表示領域が複数の左眼視認領域２１Ｌ及び複数の右眼視認領域２１Ｒと一致するように、バリアパネル３０を制御するように構成されてよい。コントローラ５０は、複数の左眼視認領域２１Ｌ及び複数の右眼視認領域２１Ｒが複数の第１サブ左眼画像２３１Ｌ及び複数の第１サブ右眼画像２３１Ｒそれぞれの表示領域を含むように、バリアパネル３０を制御するように構成されてよい。
【００５１】  図１１に示されるように、コントローラ５０は、表示パネル２０に、複数の第２サブ左眼画像２３２Ｌと複数の第２サブ右眼画像２３２Ｒとを１枚の視差画像として第１表示領域２１に含むフレームを表示させるように構成される。コントローラ５０は、表示パネル２０において、各第２サブ左眼画像２３２Ｌの表示領域が左眼視認領域２１Ｌを含み、且つ、各第２サブ右眼画像２３２Ｒの表示領域が右眼視認領域２１Ｒを含むように、バリアパネル３０の第１バリア領域３１を制御するように構成される。コントローラ５０は、複数の第２サブ左眼画像２３２Ｌ及び複数の第２サブ右眼画像２３２Ｒそれぞれの表示領域が複数の左眼視認領域２１Ｌ及び複数の右眼視認領域２１Ｒと一致するように、バリアパネル３０を制御するように構成されてよい。コントローラ５０は、複数の左眼視認領域２１Ｌ及び複数の右眼視認領域２１Ｒが複数の第２サブ左眼画像２３２Ｌ及び複数の第２サブ右眼画像２３２Ｒそれぞれの表示領域を含むように、バリアパネル３０を制御するように構成されてよい。
【００５２】  利用者が図１０のフレームと図１１のフレームとをそれぞれ単独で見た場合、利用者は、複数の左眼画像２３Ｌとして、複数の第１サブ左眼画像２３１Ｌ及び複数の第２サブ左眼画像２３２Ｌの一方を視認する。利用者が図１０のフレームと図１１のフレームとをそれぞれ単独で見た場合、利用者は、複数の右眼画像２３Ｒとして、複数の第１サブ右眼画像２３１Ｒ及び複数の第２サブ右眼画像２３２Ｒの一方を視認する。この場合、利用者が視認する複数の左眼画像２３Ｌそれぞれ及び複数の右眼画像２３ＲそれぞれのＸ軸方向の画素数は、フル画素の１／２倍以下になっている。
【００５３】  利用者が図１０のフレームと図１１のフレームとを合わせて見ることができる場合、利用者は、複数の第１サブ左眼画像２３１Ｌと複数の第２サブ左眼画像２３２Ｌとを合わせた１つの左眼画像２３Ｌを視認できる。利用者が視認する１つの左眼画像２３Ｌは、複数の第１サブ左眼画像２３１Ｌ及び複数の第２サブ左眼画像２３２Ｌの各々より大きな画素を有し得る。利用者が視認する１つの左眼画像２３Ｌはフル画素とされ得る。利用者は、複数の第１サブ右眼画像２３１Ｒと複数の第２サブ右眼画像２３２Ｒとを合わせた１つの右眼画像２３Ｒを視認できる。利用者が視認する１つの右眼画像２３Ｒは、複数の第１サブ右眼画像２３１Ｒ及び複数の第２サブ右眼画像２３２Ｒの各々より大きな画素を有し得る。利用者が視認する１つの右眼画像２３Ｒはフル画素とされ得る。
【００５４】  コントローラ５０は、図１０のフレームと図１１のフレームとを連続する２枚のフレームとして利用者に視認させるように、表示パネル２０及びバリアパネル３０を制御するように構成される。このようにすることで、利用者は、１枚目に表示されたフレームの残像と、２枚目に表示されているフレームの画像とを合わせて１枚の画像として視認しうる。その結果、ある実施形態において、利用者は、連続する２つのフレームを介してフル画素の１つの左眼画像２３Ｌとフル画素の１つの右眼画像２３Ｒとが両方とも表示されているように認識しうる。利用者の眼における残像を利用した画像の合成は、人感合成とも称される。視差画像を残像によって合成して利用者に視認させる制御は、視差画像の合成表示ともいう。
【００５５】  コントローラ５０は、図１０のフレームと図１１のフレームとを、連続する２枚のフレームとして表示する場合、第１表示領域２１に位置する部分を２枚のサブフレームとして表示する。サブフレームは、視差画像を含む。図１０のフレームのうち、第１表示領域２１に位置する部分は、第１サブフレームとも称される。図１１のフレームのうち、第１表示領域２１に位置する部分は、第２サブフレームとも称される。コントローラ５０は、１枚のフレームが２枚のサブフレームを含むように、フレームを表示するように構成される。つまり、コントローラ５０は、第１表示領域２１に連続して表示する２枚のフレームを、第１サブフレームと第２サブフレームとを含む１枚の視差画像フレームとして表示するように構成される。コントローラ５０は、第１表示領域２１に表示されている視差画像に合わせて、第１バリア領域３１を制御するように構成されてよい。コントローラ５０は、第１バリア領域３１によって形成されている複数の右眼視認領域２１Ｒ及び複数の左眼視認領域２１Ｌに合わせて、第１表示領域２１に表示させる視差画像を制御するように構成されてよい。
【００５６】  コントローラ５０は、第１サブフレームから第２サブフレームに表示を変更するタイミングにおいて、複数の第１サブ右眼画像２３１Ｒを表示していた領域に複数の第２サブ左眼画像２３２Ｌを表示するように構成されてよい。コントローラ５０は、同じタイミングで、複数の第１サブ左眼画像２３１Ｌを表示していた領域に複数の第２サブ右眼画像２３２Ｒを表示するように構成されてよい。コントローラ５０は、左眼画像２３Ｌ及び右眼画像２３Ｒそれぞれの表示位置がサブフレームごとに交換するように構成されうる。複数の左眼画像２３Ｌの表示位置は、複数の左眼画像２３Ｌの表示属性に含まれる。複数の右眼画像２３Ｒの表示位置は、複数の右眼画像２３Ｒの表示属性に含まれる。
【００５７】  コントローラ５０は、表示するフレームのうち、第２表示領域２２に位置する部分に平面画像２４を含む平面画像フレームを表示するように構成される。コントローラ５０は、第２表示領域２２に表示されている平面画像２４に合わせて、バリアパネル３０の第２バリア領域３２を制御するように構成される。
【００５８】  コントローラ５０は、図１０のフレームと図１１のフレームとを、連続する２枚のフレームとして表示する場合、第２表示領域２２に位置する部分を、連続する２枚の平面画像フレームとして制御するように構成される。
【００５９】  １枚のフレームは、第１表示領域２１と第２表示領域２２とに同時に表示される。つまり、第１表示領域２１に表示する部分におけるフレームレートと、第２表示領域２２に表示する部分におけるフレームレートとは同一である。第１表示領域２１に表示される視差画像フレームのサブフレームのフレームレートは、第２表示領域２２に表示される平面画像フレームのフレームレートと同一である。言い換えれば、第１表示領域２１に表示される視差画像フレームのフレームレートは、第２表示領域２２に表示される平面画像フレームのフレームレートの１／２倍である。
【００６０】  本実施形態に係る画像表示装置１０は、第１表示領域２１において、利用者の各々の眼にフル画素からの画像劣化が少ない視差画像を視認させうるとともに、第２表示領域２２において、利用者に大きいフレームレートの平面画像２４を視認させうる。その結果、画像表示装置１０の画質が向上する。
【００６１】  コントローラ５０は、第１サブフレーム及び第２サブフレームそれぞれにおいて第１表示領域２１で複数の右眼視認領域２１Ｒが形成されるように、バリアパネル３０の複数の透光部３１Ｔ及び複数の減光部３１Ｓを制御するように構成される。コントローラ５０は、第１サブフレームで形成される複数の右眼視認領域２１Ｒと第２サブフレームで形成される複数の右眼視認領域２１Ｒとが互いに重ならないように、バリアパネル３０を制御するように構成されてよい。コントローラ５０は、第１サブフレーム及び第２サブフレームそれぞれにおいて第１表示領域２１で複数の左眼視認領域２１Ｌを形成するように、バリアパネル３０の複数の透光部３１Ｔ及び複数の減光部３１Ｓを制御するように構成される。コントローラ５０は、第１サブフレームで形成される複数の左眼視認領域２１Ｌと第２サブフレームで形成される複数の左眼視認領域２１Ｌとが互いに重ならないように、バリアパネル３０を制御するように構成されてよい。コントローラ５０は、形成された複数の右眼視認領域２１Ｒ及び複数の左眼視認領域２１Ｌに合わせて、表示パネル２０に右眼画像２３Ｒの一部及び左眼画像２３Ｌの一部を表示させるように構成されてよい。
【００６２】  本実施形態において、コントローラ５０は、１枚の視差画像フレームを表示している間、新たな視差画像フレームを表示するまで、利用者の眼の位置が同じであるとして、表示パネル２０及びバリアパネル３０を制御するように構成されてよい。つまり、第１サブフレームと第２サブフレームとで利用者の眼の位置が異なる場合において、コントローラ５０は、それぞれのサブフレームにおける眼の位置が同じであるとして、右眼視認領域２１Ｒを形成するように構成されてよい。
【００６３】  コントローラ５０は、第１サブフレームに続いて同じ視差画像フレームに含まれる第２サブフレームを表示させる場合、第１サブフレームにおける複数の右眼視認領域２１Ｒの位置に基づいて、第２サブフレームにおける複数の右眼視認領域２１Ｒの位置を決定するように構成されてよい。この場合、コントローラ５０は、利用者の眼の位置に基づかずに、複数の右眼視認領域２１Ｒの位置を決定するように構成される。
【００６４】  コントローラ５０は、第２サブフレームに続いて新たな視差画像フレームの第１サブフレームを表示させる場合、第２サブフレームにおける複数の右眼視認領域２１Ｒの位置に基づかず、第１サブフレームにおける複数の右眼視認領域２１Ｒの位置を決定するように構成されてよい。この場合、コントローラ５０は、直前に表示していた第２サブフレームにおける複数の右眼視認領域２１Ｒの位置に基づかず、利用者の眼の位置に基づいて、複数の右眼視認領域２１Ｒの位置を決定するように構成される。
【００６５】  仮に、第１サブフレームと第２サブフレームとで利用者の眼の位置が異なる場合において、それぞれのサブフレームにおける眼の位置に基づいて複数の右眼視認領域２１Ｒが形成されるとする。この場合、第１サブフレームで表示される複数の第１サブ右眼画像２３１Ｒ、及び、第２サブフレームで表示される複数の第２サブ右眼画像２３２Ｒの少なくとも一方は、複数の右眼視認領域２１Ｒに対してずれて表示される現象が起こりうる。この現象は、複数の第１サブ右眼画像２３１Ｒと複数の第２サブ右眼画像２３２Ｒとが互いに重ならないことに起因する。この現象が発生した場合、クロストークが発生する。
【００６６】  利用者の眼の位置の変化に応じて、複数の第２サブ右眼画像２３２Ｒが変更される場合、複数の第１サブ右眼画像２３１Ｒと複数の第２サブ右眼画像２３２Ｒとが少なくとも一部で重複する。その結果、利用者から見た１つの右眼画像２３Ｒの画質が低下する。
【００６７】  ここまで、右眼５Ｒに関する説明として、複数の右眼視認領域２１Ｒにおける複数の右眼画像２３Ｒの表示態様が説明されてきたが、複数の左眼視認領域２１Ｌにおける複数の左眼画像２３Ｌの表示態様は、右眼５Ｒに関する説明と同一又は類似に説明されうる。
【００６８】  本実施形態に係る画像表示装置１０によれば、１枚の視差画像フレームが表示されている間、利用者の眼の位置が同じであるものとして制御される。このようにすることで、クロストークが発生しにくくなるとともに、利用者から見た画像の質が低下しにくくなる。
【００６９】  コントローラ５０は、第１表示領域２１に位置する部分を、第１サブフレームと第２サブフレームとを含む１枚の視差画像フレームとして表示する。コントローラ５０は、第１表示領域２１に対応する第１発光領域４１を、視差画像フレームの変更に合わせて制御するように構成される。つまり、コントローラ５０は、第１発光領域４１を視差画像フレーム毎に制御するように構成される。コントローラ５０は、図１２に示されるように、各視差画像フレームをＰ１及びＰ２で表される２つの期間に分けて、第１発光領域４１を制御するように構成されてよい。図１２において、期間が右方向に位置するほど、時刻が進んでいるとする。Ｐ１で表される期間は、第１サブフレームの開始から終了までの期間と、第２サブフレームの開始から所定の時間が経過するまでの期間とを含む。Ｐ２で表される期間は、Ｐ１で表される期間の終了から第２サブフレームの終了までの期間を含み、表示中の視差画像フレームから新たな視差画像フレームへの変更のタイミングを含む。Ｐ２で表される期間は、フレーム変更期間とも称される。コントローラ５０は、１枚の視差画像フレームを表示している期間をＰ１で表される期間と、Ｐ２で表される期間とに分けて、第１発光領域４１を制御するように構成されてよい。
【００７０】  コントローラ５０は、Ｐ１で表される期間において、第１発光領域４１から出射する射出光の光量を、第１表示領域２１の表示に合わせた第１光量にするように構成される。コントローラ５０は、Ｐ２で表される期間において、第１発光領域４１から出射する射出光の光量を、第１光量よりも少ない第２光量にするように構成されることによって、第１表示領域２１の全体の輝度を暗くするように構成されてよい。コントローラ５０は、Ｐ２で表される期間において、第１発光領域４１から光を射出させないように構成されることによって、第１表示領域２１の全体を黒表示にするように構成されてよい。Ｐ２で表される期間に付されている斜線のハッチングは、第１表示領域２１の全体が黒表示にされたり、第１表示領域２１の全体の輝度が低くされたりすることに対応している。全体の輝度が低くされている表示状態は、低輝度表示とも称される。
【００７１】  コントローラ５０は、Ｐ２で表される期間の制御を終了し、１つの視差画像フレームの表示を終了するように構成される。コントローラ５０は、新たにＰ１で表される期間の制御を開始し、新たな視差画像フレームを表示するように構成される。表示される視差画像フレームが切り替えられるタイミングの前に、第１表示領域２１の全体が黒表示にされたり、低輝度表示にされたりすることによって、利用者は、切り替えられる前に表示されていたフレームの残像を感じにくくなる。その結果、画質が向上する。
【００７２】  コントローラ５０は、第１サブフレームから第２サブフレームへ切り替えられるタイミングにおいて、第１発光領域４１から出射する射出光の光量を減少させないように構成されるとともに、第１発光領域４１から光を射出させたままとするように構成される。このようにすることで、利用者は、第１サブフレームで表示されていた画像の残像を感じやすくなる。このようにすることで、利用者は、第１サブフレームの残像と、第２サブフレームで表示されている実像とを合成した、フル画素の右眼画像２３Ｒ及び左眼画像２３Ｌを両方とも視認しているように感じる。その結果、画質が向上する。
【００７３】  コントローラ５０は、視差画像フレームを２つに分けた期間毎に投光部４０から出射する射出光の輝度を制御するように構成される。このようにすることで、コントローラ５０は、利用者がサブフレーム間の残像を感じやすくなる状況を生成するように構成されるとともに、利用者が視差画像フレーム間の残像を感じにくくなる状況を生成するように構成される。その結果、画質が向上する。
【００７４】  コントローラ５０は、第２表示領域２２に位置する部分に平面画像２４を含む平面画像フレームを表示するように構成される。コントローラ５０は、第２表示領域２２に対応する第２発光領域４２を、平面画像フレームの変更に合わせて制御するように構成される。つまり、コントローラ５０は、第２発光領域４２を平面画像フレーム毎に制御するように構成される。コントローラ５０は、図１３に示されるように、各平面画像フレームをＰ３で表される期間と、Ｐ４で表される期間とに分けて、第２発光領域４２を制御するように構成されてよい。図１３において、期間が右方向に位置するほど、時刻が進んでいるとする。Ｐ３で表される期間は、平面画像フレームの開始から所定の時間が経過するまでの期間に対応する。Ｐ４で表される期間は、Ｐ３で表される期間の終了から平面画像フレームの終了までの期間に対応し、表示中の平面画像フレームから新たな平面画像フレームへの変更のタイミングを含む。
【００７５】  コントローラ５０は、Ｐ３で表される期間において、第２発光領域４２から出射する射出光の光量を、第２表示領域２２の表示に合わせた第３光量にするように構成される。コントローラ５０は、Ｐ４で表される期間において、第２発光領域４２から出射する射出光の光量を、第３光量よりも少ない第４光量にするように構成されることによって、第２表示領域２２の全体を低輝度表示にするように構成されてよい。コントローラ５０は、Ｐ４で表される期間において、第２発光領域４２から光を射出させないように構成されることによって、第２表示領域２２の全体を黒表示にするように構成されてよい。Ｐ４で表される期間に付されている斜線のハッチングは、第２表示領域２２の全体が黒表示にされたり、低輝度表示にされたりすることに対応している。
【００７６】  コントローラ５０は、Ｐ４で表される期間の制御を終了し、１つの平面画像フレームの表示を終了するように構成される。コントローラ５０は、新たにＰ３で表される期間の制御を開始し、新たな平面画像フレームを表示するように構成される。表示される平面画像フレームが切り替えられるタイミングの前に、第２表示領域２２の全体が黒表示にされたり、低輝度表示にされたりすることによって、利用者は、切り替えられる前に表示されていたフレームの残像を感じにくくなる。その結果、画質が向上する。
【００７７】  コントローラ５０は、平面画像フレームを２つに分けた期間毎に投光部４０から出射する射出光の輝度を制御するように構成されることによって、利用者が平面画像フレーム間の残像を感じにくくなる状況を生成するように構成され得る。その結果、画質が向上する。
【００７８】  第２発光領域４２を制御するＰ３で表される期間は、第１発光領域４１を制御するＰ１で表される期間に含まれる。第２発光領域４２を制御するＰ４で表される期間は、第１発光領域４１を制御するＰ２で表される期間と一致したり、Ｐ１で表される期間に含まれたりする。Ｐ４で表される期間が２つある場合、１つの期間はＰ２で表される期間と一致する。他の１つの期間は、Ｐ１で表される期間に含まれる。Ｐ４で表される期間は、平面画像フレーム変更期間とも称される。
【００７９】  コントローラ５０は、フレーム変更期間において、第１表示領域２１の全体を黒表示又は低輝度表示にするように構成されるとともに、第２表示領域２２の全体を黒表示又は低輝度表示にするように構成される。コントローラ５０は、サブフレーム変更期間において、第１表示領域２１を黒表示にも低輝度表示にもしないように構成されるものの、第２表示領域２２の全体を黒表示又は低輝度表示にするように構成される。このようにすることで、利用者がサブフレーム間の残像を感じやすくなるとともに、利用者が視差画像フレーム間及び平面画像フレーム間の残像を感じにくくなる。その結果、画質が向上する。
【００８０】  コントローラ５０は、Ｐ２及びＰ４それぞれで表される期間において、第１表示領域２１及び第２表示領域２２の全体を黒表示又は低輝度表示にするように構成される。第１表示領域２１及び第２表示領域２２の全体が黒表示又は低輝度表示とされている間、利用者は、黒い画像又は低い輝度の画像を視認する。黒表示又は低輝度表示によって、利用者から見た画像の輝度は、１つの視差画像フレーム内、又は、１つの平面画像フレーム内でも、時間の経過とともに変化する。この場合、１つの視差画像フレーム内、又は、１つの平面画像フレーム内における画像の輝度の時間平均値は低下する。つまり、利用者から見た画像の輝度は、全体として低下する。黒表示又は低輝度表示とされる時間が短縮されることによって、利用者から見た画像の輝度が高められる。Ｐ２及びＰ４それぞれで表される期間が短縮されることによって、黒表示又は低輝度表示とされる期間が短縮される。このようにすることで、１つの視差画像フレーム内、又は、１つの平面画像フレーム内における画像の輝度の時間平均値が増加する。その結果、利用者から見た画像の輝度が高められる。
【００８１】  比較例に係る装置において、表示パネル２０は、利用者がフレーム間の残像を感じにくくなるように、１つのフレームを表示している間の所定期間において黒を表示するように構成される。比較例において、表示パネル２０は、各画素を中間階調で制御するように構成される。黒表示から中間階調へ変更する制御に対する画素の応答速度は、投光部４０から出射する射出光の光量を増加させたり減少させたりする速度よりも遅い。その結果、比較例に係る装置において、黒表示とされる期間は短縮されにくい。言い換えれば、本実施形態に係る画像表示装置１０は、比較例に係る装置に対して、画素が黒表示とされる期間を短縮しやすい。その結果、本実施形態に係る画像表示装置１０は、比較例に係る装置に対して、画像の輝度をより一層高めうる。
【００８２】  コントローラ５０は、第１発光領域４１から出射する射出光の光量と、第２発光領域４２から出射する射出光の光量とを異ならせるように構成されてよい。コントローラ５０は、例えば、図１２のＰ１で表される期間と、図１３のＰ４で表される期間とが重複している期間において、第１発光領域４１から出射する射出光の光量と、第２発光領域４２から出射する射出光の光量とを異ならせるように構成される。
【００８３】  コントローラ５０は、図１２のＰ１で表される期間と、図１３のＰ３で表される期間とが重複している期間においても、第１発光領域４１から出射する射出光の光量と、第２発光領域４２から出射する射出光の光量とを異ならせるように構成されてよい。
【００８４】  コントローラ５０は、第１発光領域４１から出射する射出光の光量を、第２発光領域４２から出射する射出光の光量よりも多くするように構成されてよい。コントローラ５０は、第１発光領域４１から出射する射出光の光量を、第２発光領域４２から出射する射出光の光量の２倍の光量に近づけるように構成されてよい。このようにすることで、第１表示領域２１において２つのサブフレームを合成して表示される１つの視差画像フレームの輝度が、第２表示領域２２において表示される平面画像フレームの輝度に近づけられうる。その結果、利用者は、視差画像と平面画像２４との間の輝度の差を感じにくくなる。
【００８５】  図１４に示されるように、一実施形態に係る画像表示システム１は、画像表示装置１０と、反射部材６０とを備える。画像表示システム１は、画像表示装置１０に画像を表示させ、その画像光を射出する。画像光は、破線で示されている経路６２に沿って、反射部材６０で反射し、利用者の左眼５Ｌ及び右眼５Ｒに到達する。画像光が利用者の眼に入射することによって、利用者は、画像表示装置１０に表示されている画像を視認しうる。利用者は、反射部材６０で反射された画像光を視認することによって、画像表示装置１０に表示される画像を虚像１０Ｑとして視認する。虚像１０Ｑは、利用者の左眼５Ｌ及び右眼５Ｒと反射部材６０とを結ぶ経路６２を、反射部材６０の反対側に延長した経路の先に位置する。画像表示システム１は、ヘッドアップディスプレイ（ＨＵＤ：Head Up Display）であってもよい。画像表示システム１及び画像表示装置１０は、利用者に直視されることによって、利用者に立体視を提供してもよい。
【００８６】  利用者は、画像表示システム１の反射部材６０を視認する場合、虚像１０Ｑと、反射部材６０を透過して見える背景とを視認しうる。つまり、利用者から見て、虚像１０Ｑは、背景に重畳して表示されているように見える。虚像１０Ｑの輝度が背景の輝度よりも高い場合、利用者は背景を視認しにくい。虚像１０Ｑの輝度が背景の輝度よりも低い場合、利用者は背景を視認しやすい。
【００８７】  コントローラ５０は、第２発光領域４２から出射する射出光の光量を、第１発光領域４１から出射する射出光の光量よりも増やすように構成されてよい。このようにすることで、第２表示領域２２に表示される平面画像２４の輝度が高くなる。その結果、利用者は、平面画像２４が表示されている領域において、背景を視認しにくくなる。利用者は、背景の影響を受けずに平面画像２４を視認しうる。
【００８８】  本実施形態に係る画像表示システム１は、移動体に搭載されてよい。画像表示システム１が移動体に搭載される場合、画像表示システム１の利用者は、移動体の運転者若しくは操作者、又は、同乗者であってよい。画像表示システム１が移動体に搭載される場合、画像表示システム１の構成の一部は、移動体が備える他の装置、部品と兼用されてよい。例えば、移動体のウインドシールドは、画像表示システム１の構成の一部として兼用されてよい。例えば図１に示されている反射部材６０は、移動体のウインドシールドによって置き換えられてよい。
【００８９】  本開示における「移動体」には、車両、船舶、航空機を含む。本開示における「車両」には、自動車および産業車両を含むが、これに限られず、鉄道車両および生活車両、滑走路を走行する固定翼機を含めてよい。自動車は、乗用車、トラック、バス、二輪車、およびトロリーバス等を含むがこれに限られず、道路上を走行する他の車両を含んでよい。産業車両は、農業および建設向けの産業車両を含む。産業車両には、フォークリフト、およびゴルフカートを含むがこれに限られない。農業向けの産業車両には、トラクター、耕耘機、移植機、バインダー、コンバイン、および芝刈り機を含むが、これに限られない。建設向けの産業車両には、ブルドーザー、スクレーバー、ショベルカー、クレーン車、ダンプカー、およびロードローラを含むが、これに限られない。車両は、人力で走行するものを含む。なお、車両の分類は、上述に限られない。例えば、自動車には、道路を走行可能な産業車両を含んでよく、複数の分類に同じ車両が含まれてよい。本開示における船舶には、マリンジェット、ボート、タンカーを含む。本開示における航空機には、固定翼機、回転翼機を含む。
【００９０】  本開示に係る構成は、以上説明してきた実施形態にのみ限定されるものではなく、幾多の変形又は変更が可能である。例えば、各構成部等に含まれる機能等は論理的に矛盾しないように再配置可能であり、複数の構成部等を１つに組み合わせたり、或いは分割したりすることが可能である。
【００９１】  本開示に係る構成を説明する図は、模式的なものである。図面上の寸法比率等は、現実のものと必ずしも一致しない。
【００９２】  本開示において「第１」及び「第２」等の記載は、当該構成を区別するための識別子である。本開示における「第１」及び「第２」等の記載で区別された構成は、当該構成における番号を交換することができる。例えば、第１領域は、第２領域と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【００９３】  本開示において、Ｘ軸、Ｙ軸、及びＺ軸は、説明の便宜上設けられたものであり、互いに入れ替えられてよい。本開示に係る構成は、Ｘ軸、Ｙ軸、及びＺ軸によって構成される直交座標系を用いて説明されてきた。本開示に係る各構成の位置関係は、直交関係にあると限定されるものではない。
【符号の説明】
【００９４】  １  画像表示システム  ５Ｌ、５Ｒ  左眼、右眼  １０  画像表示装置  １０Ｑ  虚像  ２０  表示パネル  ２１、２２  第１表示領域、第２表示領域  ２１Ｌ、２１Ｒ  左眼視認領域、右眼視認領域  ２２Ｌ、２２Ｒ  左眼非視認領域、右眼非視認領域  ２３Ｌ、２３Ｒ  左眼画像、右眼画像  ２３１Ｌ、２３１Ｒ  第１サブ左眼画像、第１サブ右眼画像  ２３２Ｌ、２３２Ｒ  第２サブ左眼画像、第２サブ右眼画像  ２４  平面画像  ３０  バリアパネル  ３１  第１バリア領域  ３１Ｔ  透光部  ３１Ｓ  減光部  ３２  第２バリア領域  ４０  投光部  ４１  第１発光領域  ４２  第２発光領域  ４３  発光素子  ４４  レンズ  ４５  拡散板  ４６  基板  ５０  コントローラ  ５１、５２、５３  第１コントローラ、第２コントローラ、第３コントローラ  ６０  反射部材  ６２  経路
【図１】
2020090584.tif 000003
【図２】
2020090584.tif 000004
【図３】
2020090584.tif 000005
【図４】
2020090584.tif 000006
【図５】
2020090584.tif 000007
【図６】
2020090584.tif 000008
【図７】
2020090584.tif 000009
【図８】
2020090584.tif 000010
【図９】
2020090584.tif 000011
【図１０】
2020090584.tif 000012
【図１１】
2020090584.tif 000013
【図１２】
2020090584.tif 000014
【図１３】
2020090584.tif 000015
【図１４】
2020090584.tif 000016
【国際調査報告】
2020090584.tif 000017
2020090584.tif 000018
2020090584.tif 000019
2020090584.tif 000020